(57)【要約】【課題】本発明は、位置センサ部が設けられた領域において気泡の発生を抑制するとともに、静電式距離センサの検出範囲を拡大させることが可能な入力装置及び電子機器を提供することを目的とする。【解決手段】位置センサ部２２が設けられた第１の領域２１と、第１の領域２１の外周において静電式距離センサ部３２が設けられた第２の領域３１とを有し、第１の領域２１において、パネル４２と位置センサ部２２とが粘着層２６を介して貼り合わされているとともに、第２の領域３１において、パネル４２と静電式距離センサ部３２とが粘着層２６を介して貼り合わされており、第２の領域３１における静電式距離センサ部３２と表面４２ａとの距離が、第１の領域２１における位置センサ部２２と表面４２ａとの距離よりも小さくなるように、静電式距離センサ部３２及び位置センサ部２２が設けられていることを特徴とする。【選択図】図３
2014078196.tif 000002
【特許請求の範囲】
【請求項１】
入力操作を検出可能な、位置センサ部が設けられた第１の領域と、
前記第１の領域の外周において静電式距離センサ部が設けられた第２の領域とを有し、
前記第１の領域において、パネルと前記位置センサ部とが粘着層を介して貼り合わされているとともに、
前記第２の領域において、前記パネルと前記静電式距離センサ部とが前記粘着層を介して貼り合わされており、
前記パネルにおいて、前記粘着層が貼り合わされた面と反対側の面を表面としたとき、
前記第２の領域における前記静電式距離センサ部と前記表面との距離が、前記第１の領域における前記位置センサ部と前記表面との距離よりも小さくなるように、前記静電式距離センサ部及び前記位置センサ部が設けられていることを特徴とする入力装置。
【請求項２】
前記第２の領域における前記粘着層の厚さが、前記第１の領域における前記粘着層の厚さよりも薄く形成されていることを特徴とする請求項１に記載の入力装置。
【請求項３】
前記第２の領域における前記パネルの厚さが、前記第１の領域における前記パネルの厚さよりも薄く形成されていることを特徴とする請求項１または請求項２に記載の入力装置。
【請求項４】
前記粘着層には凹部が形成されており、前記静電式距離センサ部は前記凹部において前記パネルと貼り合わされていることを特徴とする請求項２または請求項３に記載の入力装置。
【請求項５】
前記粘着層は、異なる平面占有領域を有する第１の粘着層と第２の粘着層とが積層されて構成されていることを特徴とする請求項２から請求項４のいずれか１項に記載の入力装置。
【請求項６】
前記位置センサ部は、第１の基材と透明電極群とを有して構成されており、
前記静電式距離センサ部は、第２の基材と電極部とを有して構成されており、
前記第１の基材と前記第２の基材とは、共通の透明基材から構成されていることを特徴とする請求項２から請求項５のいずれか１項に記載の入力装置。
【請求項７】
前記位置センサ部の前記透明電極群と前記静電式距離センサ部の電極部とが、同一の透明導電材料を有して形成されていることを特徴とする請求項６に記載の入力装置。
【請求項８】
請求項１から請求項７のいずれか１項に記載の入力装置と、
前記入力装置を組み込むための金属筐体と、
前記金属筐体に設けられ、前記入力装置を支持するための支持部とを有し、
前記第１の領域の外周において、前記入力装置は前記支持部の上に支持されていることを特徴とする電子機器。
【発明の詳細な説明】
【技術分野】
【０００１】
本発明は、入力装置及び電子機器に関し、特に、外部の物体の接近を検出する距離センサを備えた入力装置及び電子機器に関する。
【背景技術】
【０００２】
下記特許文献１には、入力装置を備えた電子機器について開示されている。図１３は、特許文献１に記載されている従来例の電子機器１１１の断面図である。図１３に示すように、入力装置１１０の下部には画像が表示される画像表示部１２０が備えられている。そして、画像表示部１２０の下部にはＬＥＤ等の光源１３１、光源１３１からの光を画像表示部１２０に均一に分布させる光拡散器１３０、及び画像表示部１２０の画像を制御するＬＣＤドライバ１３２が設けられている。
【０００３】
このような構成とすることにより、操作者は、画像表示部１２０の画像を見ながら入力装置１１０への入力操作を行うことができる。
【０００４】
また、従来例の電子機器１１１においては、金属板である光拡散器１３０自体を１つの電極として利用する。金属板である光拡散器１３０は、静電容量変化に基づいて接触及び非接触を区別する静電式距離センサとしての機能を有しており、光拡散器１３０と外部の物体との間で形成される静電容量の変化を利用して、外部の物体の接触及び非接触の状態を判別できる。これにより、例えば携帯電話を受信するために操作者の耳等を近づけた場合に、静電容量の変化を検出して、通話モードに状態を転換させるか、また、入力装置１１０の誤入力を防ぐために入力装置１１０への入力操作を無効とすることができる。
【０００５】
しかしながら、従来例の電子機器１１１では、光拡散器１３０がカバー面１１０ａから遠い位置に配置されているので、静電容量の検出感度が低く、検出範囲が狭いという問題が生じる。
【０００６】
これを解決するために、入力装置１１０と一体に静電式距離センサを設ける構成が検討された。図１４は、静電式距離センサ部２３２を備える従来例の入力装置２１０の断面図である。図１４に示すように、従来例の入力装置２１０は、透明基材２２３と透明電極群２２５とを有する位置センサ部２２２、及び透明基材２２３と電極部２３３とを有する静電式距離センサ部２３２を備えて構成されている。そして、位置センサ部２２２及び静電式距離センサ部２３２は、粘着層２２７を介してパネル２４２と貼り合わされている。これにより、静電式距離センサ部２３２の電極部２３３をパネル２４２の表面２４２ａに近づけて設けることができるため、静電式距離センサ部２３２の検出範囲を拡大させることが可能である。
【先行技術文献】
【特許文献】
【０００７】
【特許文献１】特表２０１０−５０７１６６号公報
【発明の概要】
【発明が解決しようとする課題】
【０００８】
静電式距離センサ部２３２の感度をさらに向上させる方法として、粘着層２２７の厚さを薄くすることが考えられる。しかしながら、粘着層２２７を薄くすると、位置センサ部２２２の透明電極群２２５により形成される段差や、パネル２４２の裏面側に設けられた加飾層（図示しない）の段差を、粘着層２２７により吸収することが困難になる。そのため、位置センサ部２２２と粘着層２２７との貼り合わせ界面、またはパネル２４２と粘着層２２７との貼り合わせ界面において、気泡が発生するという問題が生じる。位置センサ部２２２は、入力装置２１０の下部に設けられた画像表示装置（図示しない）の表示画像を視認可能な透光領域に設けられる。よって、透光領域に発生した気泡が操作者から視認されて、外観不良となってしまう。したがって、気泡の発生を防止しつつ、静電式距離センサ部２３２をより表面２４２ａ側に配置することは困難であった。
【０００９】
また、入力装置２１０は金属筐体に組み込まれた状態で、携帯電話機などの表示部として使用される。このとき入力装置２１０の透光領域の外側の部分が、金属筐体の支持部上に載置されて両面テープ等により固定される。すなわち、静電式距離センサ部２３２が金属筐体の支持部の上に配置されて、入力装置２１０は金属筐体に組み込まれる。
【００１０】
このとき、支持部と静電式距離センサ部２３２の電極部２３３との間で静電容量が形成されるため、電極部２３３と検出対象（例えば操作者の耳等）との間の静電容量が相対的に小さくなり、感度が低下して検出範囲が狭くなるという課題が生じる。また、金属筐体の支持部と入力装置２１０との間にスペーサ等を設けて距離を大きくすることにより、支持部と電極部２３３との間の静電容量を小さくして、感度を向上させることも考えられるが、全体として高さが高くなってしまい、電子機器の薄型化に反する。
【００１１】
本発明は、上記課題を解決して、位置センサ部が設けられた領域において気泡の発生を抑制するとともに、静電式距離センサの検出範囲を拡大させることが可能な入力装置及び電子機器を提供することを目的とする。
【課題を解決するための手段】
【００１２】
本発明の入力装置は、入力操作を検出可能な、位置センサ部が設けられた第１の領域と、前記第１の領域の外周において静電式距離センサ部が設けられた第２の領域とを有し、前記第１の領域において、パネルと前記位置センサ部とが粘着層を介して貼り合わされているとともに、前記第２の領域において、前記パネルと前記静電式距離センサ部とが前記粘着層を介して貼り合わされており、前記パネルにおいて、前記粘着層が貼り合わされた面と反対側の面を表面としたとき、前記第２の領域における前記静電式距離センサ部と前記表面との距離が、前記第１の領域における前記位置センサ部と前記表面との距離よりも小さくなるように、前記静電式距離センサ部及び前記位置センサ部が設けられていることを特徴とする。
【００１３】
これによれば、静電式距離センサ部をパネルの表面側に近づけて配置することができるため、外部の物体が接近したときに形成される静電容量が大きくなり、静電式距離センサ部の検出範囲を拡大させることができる。また、パネルの表面と静電式距離センサ部との距離に比べて、パネルの表面と前記位置センサ部との距離を大きく設けることができる。よって、パネルと前記位置センサ部とを貼り合わせる第１の領域において、粘着層の厚さを従来と同等の厚さで形成して、パネルと粘着層との界面及び前記位置センサ部と粘着層との界面に気泡が発生することを抑制することができる。さらに、入力装置が、金属筐体の支持部上に載置されて金属筐体に組み込まれた場合であっても、静電式距離センサ部がパネルの表面側に近づけて配置されているため、静電式距離センサ部と支持部との距離を大きくするとともに、静電式距離センサ部を表面側に近づけて形成することができるため、外部の物体が接近したときに形成される静電容量が大きくなり、静電式距離センサ部の検出範囲を拡大させることができる。
【００１４】
よって、本発明の入力装置によれば、位置センサ部が設けられた領域において気泡の発生を抑制するとともに、静電式距離センサの検出範囲を拡大させることが可能である。
【００１５】
本発明の入力装置は、前記第２の領域における前記粘着層の厚さが、前記第１の領域における前記粘着層の厚さよりも薄く形成されていることが好適である。
【００１６】
これによれば、第２の領域における粘着層の厚さが、第１の領域における粘着層の厚さよりも薄く形成されていることから、静電式距離センサ部を入力装置の表面側に近づけて配置することができる。よって、外部の物体が接近したときに形成される静電容量が大きくなるため、静電式距離センサ部の検出範囲を拡大させることができる。また、パネルと前記位置センサ部との間の粘着層の厚さを従来と同等の厚さで形成して、パネルと粘着層との界面及び前記位置センサ部と粘着層との界面に気泡が発生することを抑制することができる。よって、位置センサ部が設けられた領域において気泡の発生を抑制するとともに、静電式距離センサの検出範囲を拡大させることが可能である。
【００１７】
本発明の入力装置は、前記第２の領域における前記パネルの厚さが、前記第１の領域における前記パネルの厚さよりも薄く形成されていることが好適である。
【００１８】
これによれば、第２の領域におけるパネルの厚さが、第１の領域におけるパネルの厚さよりも薄く形成されていることから、静電式距離センサ部を入力装置の表面側に近づけて配置することができる。よって、外部の物体が接近したときに形成される静電容量が大きくなるため、静電式距離センサ部の検出範囲を拡大させることができる。また、パネルと前記位置センサ部との間の粘着層の厚さを従来と同等の厚さで形成して、パネルと粘着層との界面及び前記位置センサ部と粘着層との界面に気泡が発生することを抑制することができる。よって、位置センサ部が設けられた領域において気泡の発生を抑制するとともに、静電式距離センサの検出範囲を拡大させることが可能である。
【００１９】
本発明の入力装置において、前記粘着層には凹部が形成されており、前記静電式距離センサ部は前記凹部において前記パネルと貼り合わされていることが好適である。これによれば、粘着層の凹部において静電式距離センサがパネルと貼り合わされるので、静電式距離センサ部を入力装置の表面側に近づけて形成することができ、検出範囲を拡大させることができる。
【００２０】
本発明の入力装置において、前記粘着層は、異なる平面占有領域を有する第１の粘着層と第２の粘着層とが積層されて構成されていることが好ましい。これによれば、第１の領域及び第２の領域の粘着層の厚さ及び形状について、適切に形成することが容易である。
【００２１】
本発明の入力装置において、前記位置センサ部は、第１の基材と透明電極群とを有して構成されており、前記静電式距離センサ部は、第２の基材と電極部とを有して構成されており、前記第１の基材と前記第２の基材とは、共通の透明基材から構成されていることが好適である。これによれば、位置センサ部と静電式距離センサ部とを別部材として用意する必要が無く、また、同一の工程において位置センサ部及び静電式距離センサ部をパネルに貼り合わせることができるため、製造コストを低減することができる。
【００２２】
本発明の入力装置において、前記位置センサ部の前記透明電極群と前記静電式距離センサ部の電極部とが、同一の透明導電材料を有して形成されていることが好ましい。これによれば、前記位置センサ部の前記透明電極群と前記静電式距離センサ部の電極部とを同一の工程で形成することができるため、前記位置センサ部及び静電式距離センサ部を形成する製造工程を簡略化して、製造コストを低減することができる。
【００２３】
本発明の電子機器は、上記いずれかの入力装置と、前記入力装置を組み込むための金属筐体と、前記金属筐体に設けられ、前記入力装置を支持するための支持部とを有し、前記第１の領域の外周において、前記入力装置は前記支持部の上に支持されていることを特徴とする。
【００２４】
これによれば、入力装置において、第２の領域におけるパネルの表面と静電式距離センサ部との距離が、第１の領域におけるパネルの表面と位置センサ部との距離よりも小さくなるように、静電式距離センサ部及び位置センサ部が設けられている。よって、静電式距離センサ部と支持部との間で形成される静電容量値を低減して、静電式距離センサ部の検出範囲を拡大させることができる。
【発明の効果】
【００２５】
本発明の入力装置及び電子機器によれば、位置センサ部が設けられた領域において気泡の発生を抑制するとともに、静電式距離センサ部の検出範囲を拡大させることが可能である。
【図面の簡単な説明】
【００２６】
【図１】本発明の第１の実施形態における入力装置の分解斜視図である。
【図２】図１のＩＩ−ＩＩ線に沿って切断して矢印方向から見たときの入力装置の断面図である。
【図３】第１の実施形態における入力装置の部分拡大断面図である。
【図４】第１の実施形態における、第１の変形例の入力装置の部分拡大断面図である。
【図５】第２の変形例の入力装置の部分拡大断面図である。
【図６】第３の変形例の入力装置の部分拡大断面図である。
【図７】第４の変形例の入力装置の部分拡大断面図である。
【図８】第２の実施形態における入力装置の部分拡大断面図である。
【図９】第２の実施形態における変形例を示す入力装置の部分拡大断面図である。
【図１０】本発明の電子機器の断面図である。
【図１１】本実施形態の電子機器の部分拡大断面図である。
【図１２】静電式距離センサの検出範囲を説明するための模式断面図である。
【図１３】従来例の電子機器の断面図である。
【図１４】従来例の入力装置の断面図である。
【発明を実施するための形態】
【００２７】
以下、図面を参照して、本発明の実施形態における入力装置及び電子機器について説明する。なお各図面の寸法は、適宜変更して示している。
【００２８】
＜入力装置＞
図１は、本発明の第１の実施形態における入力装置１０の分解斜視図である。図２は、図１のＩＩ−ＩＩ線で切断して矢印方向から見たときの入力装置１０の断面図である。
【００２９】
図１に示すように、入力装置１０はパネル４２、粘着層２６、透明基材２３等を有して構成される。
【００３０】
パネル４２は、透光性のガラス基板または樹脂基板を用いて形成される。パネル４２の裏面側には、額縁状に加飾層４５が設けられており、加飾層４５は、光を遮蔽するように着色されている。図１に示すように、加飾層４５により、パネル４２の中央部に位置する透光可能な第１の領域（入力領域）２１と、その外周の非入力領域４１とに区分けされている。
【００３１】
図１に示すように、透明基材２３には、第１の領域（入力領域）２１と重なる位置において透明電極群２５が形成されている。透明電極群２５は、互いに交差する方向に延在して形成されたＸ電極２５ａとＹ電極２５ｂとを有して構成される。Ｘ電極２５ａは、複数の菱形形状の透明電極が、ブリッジ電極２５ｃによってＸ１−Ｘ２方向に連結されて形成される。このＸ電極２５ａがＹ１−Ｙ２方向に複数本形成されている。また、Ｙ電極２５ｂは、複数の菱形形状の透明電極が、幅細部によってＹ１−Ｙ２方向に連結されて形成される。このＹ電極２５ｂがＸ１−Ｘ２方向に複数本形成されている。
【００３２】
Ｘ電極２５ａとＹ電極２５ｂとは、ブリッジ電極２５ｃと幅細部とが平面視で交差するように設けられている、また、ブリッジ電極２５ｃと幅細部との間には、絶縁層が設けられており、Ｘ電極２５ａとＹ電極２５ｂとは、互いに電気的に絶縁されている。よって、Ｘ電極２５ａとＹ電極２５ｂとで静電容量を形成する。
【００３３】
第１の実施形態の入力装置１０において、透明基材２３と、透明電極群２５とで、第１の領域（入力領域）２１への入力位置情報を検知することが可能な位置センサ部２２を構成する。
【００３４】
透明基材２３は、フィルム状の樹脂材料によって形成されており、ポリカーボネート樹脂（ＰＣ）、ポリエチレンテレフタレート樹脂（ＰＥＴ）、ポリエチレンナフタレート樹脂（ＰＥＮ）、環状ポリオレフィン（ＣＯＰ）、ポリメタクリル酸メチル樹脂（ＰＭＭＡ）等の材料が用いられる。また、透明電極群２５のＸ電極２５ａ、Ｙ電極２５ｂ、及びブリッジ電極２５ｃは、ＩＴＯ（Ｉｎｄｉｕｍ  Ｔｉｎ  Ｏｘｉｄｅ）、ＳｎＯ２、ＺｎＯ等の透明導電材料を用いて形成されており、スパッタや蒸着等の薄膜法により形成される。
【００３５】
また、図１に示すように、第１の領域（入力領域）２１の外周である非入力領域４１の一部には第２の領域３１が設けられている。そして、第２の領域３１に対応する位置において、透明基材２３には電極部３３が形成されている。透明基材２３と電極部３３とで、操作者の耳などの外部の物体の接近を検知することが可能な静電式距離センサ部３２を構成する。
【００３６】
電極部３３は、ＩＴＯ等の透明導電材料を用いて透明電極群２５と同一の材料により形成されている。こうすれば、位置センサ部２２の透明電極群２５と静電式距離センサ部３２の電極部３３とを同一の工程で形成することができるため、静電式距離センサ部３２を形成する製造工程の一部を省略して、入力装置１０の製造コストを低減することができる。なお、電極部３３としてＡｇやＣｕ等の導電性の金属材料を用いることも可能であり、また、複数層の金属材料や透明導電材料を積層して形成してもよい。
【００３７】
図２に示すように、パネル４２と透明基材２３とは粘着層２６を介して貼り合わされている。すなわち、第１の領域（入力領域）２１において、パネル４２と位置センサ部２２とが粘着層２６を介して貼り合わされているとともに、第２の領域３１において、パネル４２と静電式距離センサ部３２とが粘着層２６を介して貼り合わされている。粘着層２６として、アクリル系両面テープやアクリル系粘着剤が用いられる。
【００３８】
図１及び図２に示す入力装置１０において、入力装置１０の表面４２ａの第１の領域（入力領域）２１に、操作者が指などを接触させて入力操作を行った場合、位置センサ部２２の静電容量が変化することで入力位置情報を検知することが可能になっている。また、入力装置１０の表面４２ａの第２の領域３１に、操作者の耳などの外部の物体が接近した場合、電極部３３と外部の物体との間に静電容量が形成されて、これに基づいて外部の物体の接近を検出することができる。静電式距離センサ部３２の検出結果に基づいて、第１の領域（入力領域）２１における入力操作を無効にするなどの様々な制御を行うことができる。
【００３９】
図３は、第１の実施形態における入力装置１０の部分拡大断面図であり、特に、位置センサ部２２及び静電式距離センサ部３２の貼り合わせ構造を説明するための部分拡大断面図である。なお、図３では加飾層４５を省略して示している。図３に示すように、本実施形態の入力装置１０において、第２の領域３１における粘着層２６の厚さが、第１の領域（入力領域）２１における粘着層２６の厚さよりも薄く形成されている。すなわち、非入力領域４１において、粘着層２６にはパネル４２側に向かって凹む段差が形成されており、少なくとも第２の領域３１と重複して、非入力領域４１の外周に向かって拡がる段差領域２８が形成されている。そして、静電式距離センサ部３２は段差領域２８においてパネル４２と貼り合わされている。粘着層２６の厚さは、例えば、第１の領域（入力領域）２１において０．１ｍｍ〜０．２ｍｍ程度に形成されて、第２の領域３１において０．０２ｍｍ〜０．０８ｍｍ程度に形成される。
【００４０】
これによれば、第２の領域３１における粘着層２６の厚さが、第１の領域（入力領域）２１における粘着層２６の厚さよりも薄く形成されていることから、第２の領域３１における静電式距離センサ部３２と表面４２ａとの距離が、第１の領域２１における位置センサ部２２と表面４２ａとの距離よりも小さくなるように、静電式距離センサ部３２及び位置センサ部２２が設けられている。すなわち、静電式距離センサ部３２をパネル４２の表面４２ａ側に近づけて形成することができる。操作者の耳などの外部の物体が表面４２ａに接近したときに、外部の物体と電極部３３との距離を従来に比べ小さくすることができ、外部の物体と電極部３３とで形成される静電容量を大きくすることができる。よって、静電式距離センサ部３２の検出範囲を拡大させることができる。
【００４１】
また、例えば第１の領域（入力領域）２１の粘着層２６の厚さを、第２の領域３１の粘着層２６の厚さと同等に薄くすると、透明電極群２５あるいは加飾層４５（図示しない）等により生じる段差を粘着層２６により吸収しきれず、第１の領域（入力領域）２１において気泡が発生し易くなる。第１の領域（入力領域）２１は透光領域であり、気泡が発生した場合には操作者に視認されるため、外観品質不良となる。本実施形態の入力装置１０によれば、パネル４２と位置センサ部２２との間の粘着層２６の厚さを従来と同等の厚さで形成することができる。よって、透明電極群２５や加飾層４５（図示しない）等により生じる段差を粘着層２６により吸収して、パネル４２と粘着層２６との界面及び位置センサ部２２と粘着層２６との界面において、気泡の発生が抑制される。
【００４２】
さらに、入力装置１０が、図示しない金属筐体に組み込まれて、金属筐体の支持部上に載置された場合であっても、第２の領域３１において粘着層２６の厚さが薄く形成されているため、静電式距離センサ部３２と支持部との距離を大きくするとともに、静電式距離センサ部３２を表面４２ａ側に近づけて形成することができ、検出範囲を拡大させることができる。
【００４３】
よって、本実施形態の入力装置１０によれば位置センサ部２２が設けられた第１の領域（入力領域）２１において気泡の発生を抑制するとともに、静電式距離センサ部３２の検出範囲を拡大させることができる。
【００４４】
また、図１から図３に示すように、本実施形態の入力装置１０において、位置センサ部２２と静電式距離センサ部３２とは、共通の透明基材２３を有して構成されている。図３に示すように、静電式距離センサ部３２の電極部３３は、第１の領域（入力領域）２１よりも外周に向かい延在する透明基材２３に形成されている。そして、共通の透明基材２３は、粘着層２６の段差領域２８にならうようにしてパネル４２と貼り合わされている。これにより、位置センサ部２２と静電式距離センサ部３２とを別部材として用意する必要が無く、また、同一の工程で位置センサ部２２及び静電式距離センサ部３２がパネル４２に貼り合わされるため、入力装置１０の製造コストを低減することができる。
【００４５】
なお、本実施形態の入力装置１０において、位置センサ部２２の構成は図１から図３に示すものに限定されない。透明電極群２５が異なるパターンである場合、または、透明基材２３を複数層積層して構成された場合等であっても、同様の効果を得ることが可能である。また、図１において、静電式距離センサ部３２の電極部３３を平面矩形状に示しているが、これに限定されず、適宜変更することができる。
【００４６】
次に、本実施形態の入力装置１０の変形例について説明する。図４は、第１の変形例の入力装置１０を示す部分拡大断面図である。なお、図１から図３に示したものと同一の部材については同じ符号を付している。第１の変形例の入力装置１０は、粘着層２６の構成が異なっており、図４に示すように、粘着層２６は、異なる平面形状を有する第１の粘着層２６ａと第２の粘着層２６ｂとが積層されて形成されている。
【００４７】
図４に示すように、第１の粘着層２６ａと第２の粘着層２６ｂとのうち、パネル４２側の第１の粘着層２６ａは、第１の領域（入力領域）２１、非入力領域４１及び第２の領域３１にわたって設けられている。そして、第２の粘着層２６ｂは、第１の領域（入力領域）２１、及び非入力領域４１の一部に形成されている。このように、平面占有領域の異なる第１の粘着層２６ａと第２の粘着層２６ｂとを積層することにより、段差領域２８が形成される。
【００４８】
第１の変形例において、静電式距離センサ部３２は第１の粘着層２６ａを介してパネル４２と貼り合わされ、位置センサ部２２は第１の粘着層２６ａ及び第２の粘着層２６ｂを介してパネル４２と貼り合わされる。このような態様であれば、第１の粘着層２６ａ及び第２の粘着層２６ｂの厚さや形状を、それぞれ適切に設定することが容易であり、位置センサ部２２が設けられた第１の領域（入力領域）２１において気泡の発生を抑制するとともに、静電式距離センサ部３２の検出範囲を拡大させること可能である。
【００４９】
図５は、第２の変形例の入力装置１０を示す部分拡大断面図である。第２の変形例の入力装置１０は、粘着層２６の段差領域２８の形状を異ならせており、粘着層２６に凹部２９を形成している。図５に示すように、少なくとも静電式距離センサ部３２が凹部２９の内部に配置されるように、凹部２９を形成することができる。こうすれば、入力装置１０の外周に沿って、透明基材２３の下面の高さが一定に形成されるため、金属筐体等に入力装置１０を組み込むことが容易である。また、粘着層２６は、第１の変形例に示すように複数の粘着層２６ａ、２６ｂを用意して、その一部に孔加工を施して積層する方法により形成することもできる。
【００５０】
図６は、第３の変形例の入力装置１０を示す部分拡大断面図である。図１から図５の入力装置１０において、位置センサ部２２と静電式距離センサ部３２とが共通の透明基材２３を有する構成を示したが、これに限定されるものではない。図６に示すように、位置センサ部２２を第１の基材２３ａを用いて形成し、静電式距離センサ部３２を第２の基材２３ｂを用いて形成して、それぞれ別体に設けても良い。このような態様であっても、位置センサ部２２が設けられた第１の領域（入力領域）２１において気泡の発生を抑制するとともに、静電式距離センサ部３２の検出範囲を拡大させることができる。
【００５１】
図７は、第４の変形例の入力装置１０を示す部分拡大断面図である。図１から図６の各図に示した入力装置１０では、平坦な形状のパネル４２が用いられているが、これに限定されるものではない。図７に示す第４の変形例の入力装置１０のように、曲面を有するパネル４２を用いた場合であっても、第２の領域３１における粘着層２６の厚さを、第１の領域（入力領域）２１における粘着層２６の厚さよりも薄く形成することにより、同様の効果を奏する。
【００５２】
図８は、第２の実施形態の入力装置１１を示す部分拡大断面図である。第２の実施形態の入力装置１１は、第１の実施形態と比較して、パネル４３及び粘着層２７の構成が異なっている。また、第１の実施形態の入力装置１０と同じ部材については、同じ符号を付して示し、詳細な説明は省略する。
【００５３】
図８に示すように、第２の実施形態の入力装置１１において、パネル４３には、表面４３ａに向かって凹む段差が形成されており、少なくとも第２の領域３１と重複して、パネル４３の外周に向かって拡がる段差領域４３ｂが形成されている。すなわち、第２の領域３１におけるパネル４３の厚さが、第１の領域２１におけるパネル４３の厚さよりも薄く形成されている。また、パネル４３の表面４３ａは平坦に形成されているとともに、粘着層２７は第１の領域２１、非入力領域４１、第２の領域３１にわたって、同じ厚さで形成されている。
【００５４】
このような態様であっても、静電式距離センサ部３２をパネル４３の表面４３ａ側に近づけて配置することができる。よって、外部の物体が接近したときに外部の物体と電極部３３との間で形成される静電容量が大きくなるため、静電式距離センサ部３２の検出範囲を拡大させることができる。また、パネル４３と位置センサ部２２との間の粘着層２７の厚さを従来と同等の厚さで形成して、パネル２７と粘着層４３との界面及び位置センサ部２２と粘着層２７との界面に気泡が発生することを抑制することができる。よって、位置センサ部２２が設けられた領域において気泡の発生を抑制するとともに、静電式距離センサ３２の検出範囲を拡大させることが可能である。なお、パネル４３に形成された段差により、粘着層２７との間に気泡が発生する場合がある。しかし、非透光領域４１及び第２の領域３１において、パネル４３の裏面側には着色された加飾層４５（図示しない）が設けられているため、パネル４３の段差において生じる気泡は、操作者に視認されることはない。
【００５５】
図９には、第２の実施形態の変形例を示す、入力装置１１の部分拡大断面図である。パネル４３は平坦な形状に限定されず、図９に示すように、曲面形状を有するパネル４３であっても、第２の領域３１におけるパネル４３の厚さを、第１の領域２１におけるパネル４３の厚さよりも薄く形成することにより、同様の効果を奏する。
【００５６】
また、図８及び図９に示す第２の実施形態の入力装置１１では、粘着層２７は各領域にわたって同等の厚さで形成されている。しかし、これに限定されず、第１の実施形態に示すような、第２の領域３１における粘着層２６の厚さが、第１の領域２１における粘着層２６の厚さよりも薄く形成された粘着層２６を用いても良い。
【００５７】
＜電子機器＞
図１０は、本発明の実施形態における電子機器１２の断面図である。図１０に示すように本実施形態の電子機器１２は、図１から図７に示す第１の実施形態の入力装置１０のいずれかを有しており、入力装置１０を組み込むための金属筐体５１と、金属筐体５１に設けられ、入力装置１０を支持するための支持部５２とを有し構成される。なお、支持部５２は、金属筐体５１と一体に形成されており、同じ金属材料により構成されている。そして、入力装置１０は、第１の領域（入力領域）２１の外周の、非入力領域４１において、金属製の支持部５２の上に支持されている。電子機器１２は、液晶表示装置や有機ＥＬなどの表示装置５５と重ねられて、携帯電話機などのモバイル機器の表示部として使用される。なお、図１０に示す電子機器１２において第１の実施形態の入力装置１０を組み込んでいるが、これに限られず、第２の実施形態に示した入力装置１１であっても良い。
【００５８】
図１１は、本実施形態の電子機器１２の部分拡大断面図であり、特に、支持部５２の上に入力装置１０が支持されている箇所について拡大して示す。図１１に示すように、入力装置１０は、非入力領域４１において、両面テープ５３によって支持部５２の上に固定されている。また、静電式距離センサ部３２が設けられた第２の領域３１では、両面テープ５３が設けられておらず、支持部５２と静電式距離センサ部３２との間に、空間部が形成されている。そして、入力装置１０は、第２の領域３１における粘着層２６の厚さが、第１の領域（入力領域）２１における粘着層２６の厚さよりも薄く形成されている。よって、電子機器１２の全体の厚さを増大させることなく、静電式距離センサ部３２の電極部３３を表面４２ａ側に近づけて形成するとともに、電極部３３と支持部５２との距離を大きくすることができる。
【００５９】
図１２は、静電式距離センサ部３２の検出範囲を説明するための模式断面図である。なお、図１２では、模式的に静電式距離センサ部３２の電極部３３と、支持部５２のみを示している。図１２（ａ）と図１２（ｂ）とでは、電極部３３と支持部５２との距離を変えた場合の検出範囲の大きさについて、模式的に二点鎖線で示して比較している。
【００６０】
図１２（ａ）及び図１２（ｂ）に示すように、電極部３３と支持部５２との距離により静電式距離センサ部３２の検出範囲が変化する。図１２（ｂ）に比べて、図１２（ａ）は電極部３３と支持部５２との距離が大きくなるように電極部３３が設けられており、静電式距離センサ部３２の検出範囲が大きくなっていることが示されている。
【００６１】
電極部３３の下側に金属製の支持部５２が設けられた場合、電極部３３と支持部５２との間に静電容量Ｃ１が形成されて、電極部３３の上側（図示しない入力装置１０の表面４２ａ）に外部の物体が接近すると、電極部３３と外部の物体との間に静電容量Ｃ２が形成される。すなわち、静電式距離センサ部３２において、静電容量Ｃ１と静電容量Ｃ２とが並列に接続された静電容量の合計（Ｃ１＋Ｃ２）に基づいて、外部の物体の接近が検出される。静電容量Ｃ２が静電容量Ｃ１に対して所定の比となる距離を検出範囲として、図１２（ａ）及び図１２（ｂ）に示す。
【００６２】
図１２（ｂ）に示すように、図１２（ａ）と比較して電極部３３と支持部５２との距離をｄ／２と小さくすると、静電容量Ｃ１が約２倍の大きさになり、静電式距離センサ部３２で検出される静電容量値のうち、外部の物体との間の静電容量Ｃ２が相対的に小さくなってしまう。よって、外部の物体の接近を検出するためにより大きな静電容量Ｃ２が必要であるため、図１２（ｂ）に示すように、電極部３３と外部の物体との距離が図１２（ａ）に比べて小さい範囲（二点鎖線で示す）で検出可能となる。したがって、電極部３３と支持部５２との距離が小さくなると、静電式距離センサ部３２の検出範囲が小さくなる。
【００６３】
本実施形態の電子機器１２においては、図１１に示すように、第２の領域３１における粘着層２６の厚さが、第１の領域（入力領域）２１における粘着層２６の厚さよりも薄く形成されている。よって、電子機器１２の全体の厚さを増大させることなく、静電式距離センサ部３２の電極部３３を表面４２ａ側に近づけて形成するとともに、電極部３３と支持部５２との距離を大きくすることができる。したがって、静電式距離センサ部３２の電極部３３と支持部５２との間で形成される静電容量Ｃ１を低減することができ、静電式距離センサ部３２の検出範囲を拡大させることができる。
【符号の説明】
【００６４】
１０、１１  入力装置
１２  電子機器
２１  第１の領域（入力領域）
２２  位置センサ部
２３  透明基材
２３ａ  第１の基材
２３ｂ  第２の基材
２５  透明電極群
２５ａ  Ｘ電極、２５ｂ  Ｙ電極、２５ｃ  ブリッジ電極
２６、２７  粘着層
２６ａ  第１の粘着層、２６ｂ  第２の粘着層
２８  段差領域
２９  凹部
３１  第２の領域
３２  静電式距離センサ部
３３  電極部
４１  非入力領域
４２、４３  パネル
４２ａ、４３ａ  表面
４３ｂ  段差領域
４５  加飾層
５１  金属筐体
５２  支持部
５３  両面テープ
【図１】
2014078196.tif 000003
【図２】
2014078196.tif 000004
【図３】
2014078196.tif 000005
【図４】
2014078196.tif 000006
【図５】
2014078196.tif 000007
【図６】
2014078196.tif 000008
【図７】
2014078196.tif 000009
【図８】
2014078196.tif 000010
【図９】
2014078196.tif 000011
【図１０】
2014078196.tif 000012
【図１１】
2014078196.tif 000013
【図１２】
2014078196.tif 000014
【図１３】
2014078196.tif 000015
【図１４】
2014078196.tif 000016